(57)【特許請求の範囲】
【請求項１】
ＯＮＵ（Optical Network Unit）を検知するＯＮＵ検知装置であって、
光ケーブルを変形させ、変形部分から漏れる光を受光し、電気信号を生成する受光部と、
前記受光部で生成された電気信号に基づいて前記受光部における光強度を測定する光強度測定部と、
前記光強度測定部で測定された光強度が適切な光強度となるまで前記受光部より局内装置側で前記光ケーブルに曲げを付与する曲げ付与部と、
前記受光部で生成された電気信号に含まれるＯＮＵからの送信光の波形的特徴の強度を検知するＯＮＵ検知部と、
前記光強度測定部で測定された光強度が適切な光強度である場合に前記ＯＮＵ検知部で検知された波形的特徴の強度が一定以上であればＯＮＵが接続されていると判定する判定部と
を備えることを特徴とするＯＮＵ検知装置。
【請求項２】
前記適切な光強度の下限として、下部線路損失が最大の場合でも、所定の最小光強度の下り光がＯＮＵに到達する値が設定されることを特徴とする請求項１に記載のＯＮＵ検知装置。
【請求項３】
前記適切な光強度の下限として、前記光ケーブルの上下方向を誤って当該ＯＮＵ検知装置を設置した場合でも、所定の最小光強度の下り光がＯＮＵに到達する値が設定されることを特徴とする請求項２に記載のＯＮＵ検知装置。
【請求項４】
前記適切な光強度の上限として、前記受光部において所定のＳ／Ｎ比の上り光が受光される値が設定されることを特徴とする請求項１〜３のいずれか１項に記載のＯＮＵ検知装置。
【請求項５】
ＯＮＵ検知装置がＯＮＵを検知するＯＮＵ検知方法であって、
光ケーブルを変形させ、変形部分から漏れる光を受光部で受光し、電気信号を生成する受光ステップと、
前記受光ステップで生成された電気信号に基づいて前記受光部における光強度を測定する光強度測定ステップと、
前記光強度測定ステップで測定された光強度が適切な光強度となるまで前記受光部より局内装置側で前記光ケーブルに曲げを付与する曲げ付与ステップと、
前記受光部で生成された電気信号に含まれるＯＮＵからの送信光の波形的特徴の強度を検知するＯＮＵ検知ステップと、
前記光強度測定ステップで測定された光強度が適切な光強度である場合に前記ＯＮＵ検知ステップで検知された波形的特徴の強度が一定以上であればＯＮＵが接続されていると判定する判定ステップと
を含むことを特徴とするＯＮＵ検知方法。
【発明の詳細な説明】
【技術分野】
【０００１】
本発明は、ＯＮＵ（Optical Network Unit）を検知するＯＮＵ検知装置およびＯＮＵ検知方法に関し、特に、ＰＯＮ（Passive Optical Network）構成のアクセスネットワークにおいて、光ファイバ網の保守運用の際に、保守しようとする光ケーブル下部にＯＮＵが接続されているかどうかを判定する光アクセスネットワークの保守技術に関する。
【背景技術】
【０００２】
ＰＯＮ構成の光アクセスネットワークでは、１台の局内装置に光分岐器を介して複数台のＯＮＵが接続される。このため、局内装置とは接続され、ＯＮＵとは接続されていない光ケーブルにおいても、他のユーザ向けの信号光が導通している。
【０００３】
光アクセスネットワークの保守運用においては、光ケーブルを切断し、繋ぎかえるなどの光ケーブルに対する作業が発生するが、この際に光ケーブルがサービス提供中でないこと、すなわち下部にＯＮＵが接続されていないことを検知する必要がある。
【０００４】
ＰＯＮ構成の光アクセスネットワークでは、下部にＯＮＵが接続されていない光ケーブルにも信号光が導通している。このため、光ケーブルに導通している信号光の中からＯＮＵからの送信光を検知して、ＯＮＵの接続有無を検知する必要がある（特許文献１、２参照）。
【０００５】
図９は、従来技術（特許文献１）の概要を説明するための図である。この図に示すように、１台の局内装置１０に光分岐器２０を介して複数台のＯＮＵ３０が接続されている。曲げ部４００において光ケーブル７０に曲げを加え、光ケーブル７０から漏洩する光（以下、漏洩光）を曲げ部４００の上部側、下部側それぞれに配置された受光器４０１，４０２で受光して電気信号を生成している。この電気信号に基づいて、ＯＮＵ３０からの送信光がもつ波形的特徴（間欠波形）を電気的に検知することでＯＮＵ３０の接続有無を検知するようになっている。
【先行技術文献】
【特許文献】
【０００６】
【特許文献１】特開２０１２−２０５２８４号公報
【特許文献２】特開２０１２−０６０２９０号公報
【発明の概要】
【発明が解決しようとする課題】
【０００７】
従来技術では、光ケーブル７０の上り光６０と下り光５０をそれぞれ分けて検知するために曲げ部４００の上部側と下部側のそれぞれに受光器４０１，４０２を配置し、電気信号を生成している。しかしながら、上り光６０と下り光５０を完全に分離して受光することは難しく、上部側、下部側の受光器４０１，４０２にそれぞれある割合の下り光５０，上り光６０が意図せず受光されてしまう。このため、曲げ部４００において、局内装置１０からの下り光５０がＯＮＵ３０からの上り光６０に比して大きい場合は、下り光５０の受光により上り光６０の電気信号のＳ／Ｎ比が劣化し、正しくＯＮＵ３０の接続を検知できないという課題がある。
【０００８】
本発明は、上述した従来の技術に鑑み、Ｓ／Ｎ比劣化による検知失敗や誤検知が生じないＯＮＵ検知装置およびＯＮＵ検知方法を提供することを目的とする。
【課題を解決するための手段】
【０００９】
上記目的を達成するため、第１の態様に係る発明は、ＯＮＵ（Optical Network Unit）を検知するＯＮＵ検知装置であって、光ケーブルを変形させ、変形部分から漏れる光を受光し、電気信号を生成する受光部と、前記受光部で生成された電気信号に基づいて前記受光部における光強度を測定する光強度測定部と、前記光強度測定部で測定された光強度が適切な光強度となるまで前記受光部より局内装置側で前記光ケーブルに曲げを付与する曲げ付与部と、前記受光部で生成された電気信号に含まれるＯＮＵからの送信光の波形的特徴の強度を検知するＯＮＵ検知部と、前記光強度測定部で測定された光強度が適切な光強度である場合に前記ＯＮＵ検知部で検知された波形的特徴の強度が一定以上であればＯＮＵが接続されていると判定する判定部とを備えることを要旨とする。
【００１０】
第２の態様に係る発明は、第１の態様に係る発明において、前記適切な光強度の下限として、下部線路損失が最大の場合でも、所定の最小光強度の下り光がＯＮＵに到達する値が設定されることを要旨とする。
【００１１】
第３の態様に係る発明は、第２の態様に係る発明において、前記適切な光強度の下限として、前記光ケーブルの上下方向を誤って当該ＯＮＵ検知装置を設置した場合でも、所定の最小光強度の下り光がＯＮＵに到達する値が設定されることを要旨とする。
【００１２】
第４の態様に係る発明は、第１〜第３のいずれかの態様に係る発明において、前記適切な光強度の上限として、前記受光部において所定のＳ／Ｎ比の上り光が受光される値が設定されることを要旨とする。
【００１３】
第５の態様に係る発明は、ＯＮＵ検知装置がＯＮＵを検知するＯＮＵ検知方法であって、光ケーブルを変形させ、変形部分から漏れる光を受光部で受光し、電気信号を生成する受光ステップと、前記受光ステップで生成された電気信号に基づいて前記受光部における光強度を測定する光強度測定ステップと、前記光強度測定ステップで測定された光強度が適切な光強度となるまで前記受光部より局内装置側で前記光ケーブルに曲げを付与する曲げ付与ステップと、前記受光部で生成された電気信号に含まれるＯＮＵからの送信光の波形的特徴の強度を検知するＯＮＵ検知ステップと、前記光強度測定ステップで測定された光強度が適切な光強度である場合に前記ＯＮＵ検知ステップで検知された波形的特徴の強度が一定以上であればＯＮＵが接続されていると判定する判定ステップとを含むこと要旨とする。
【発明の効果】
【００１４】
本発明によれば、Ｓ／Ｎ比劣化による検知失敗や誤検知が生じないＯＮＵ検知装置およびＯＮＵ検知方法を提供することが可能である。
【図面の簡単な説明】
【００１５】
【図１】本発明の実施の形態におけるＯＮＵ検知装置を利用するシステムの全体構成および利用シーンを示す図である。
【図２】本発明の実施の形態におけるＯＮＵ検知装置の機能ブロック図である。
【図３】本発明の実施の形態におけるＯＮＵ検知装置を利用し、光ケーブル下部にＯＮＵが接続されているかどうかを判定する動作を示すフローチャートである。
【図４】従来技術における光強度を説明するための図である。
【図５】本発明の実施の形態におけるＯＮＵ検知装置を利用した場合の光強度を説明するための図である。
【図６】本発明の実施の形態におけるＯＮＵ検知装置を利用した場合の光強度を説明するための図である。
【図７】本発明の実施の形態における曲げ付与部により調整される適切な光強度の範囲を説明するための図である。
【図８】本発明の実施の形態における曲げ付与部を示す図である。
【図９】従来技術の概要を説明するための図である。
【発明を実施するための形態】
【００１６】
以下、本発明の実施の形態について図面を参照して詳細に説明する。なお、以下の実施の形態は、この発明の技術的思想を具体化するためのＯＮＵ検知装置を例示するものであり、装置の構成やデータの構成等は以下の実施の形態に限定されるものではない。
【００１７】
（システム構成）
図１は、本発明の実施の形態におけるＯＮＵ検知装置４０を利用するシステムの全体構成および利用シーンを示す図である。図１（ａ）に示すように、ＰＯＮ構成のアクセスネットワークにおいて、光ファイバ網の保守運用の際にＯＮＵ検知装置４０が利用される。
【００１８】
ＰＯＮ（Passive Optical Network）は、１台の局内装置１０と複数台のＯＮＵ３０が光分岐器２０と光ケーブル７０を介して接続された光通信ネットワークである。以下、局内装置１０からＯＮＵ３０に向けた方向を「下り方向」と呼び、ＯＮＵ３０から局内装置１０に向けた方向を「上り方向」と呼ぶ。また、下り方向に流れる光を「下り光５０」と呼び、上り方向に流れる光を「上り光６０」と呼ぶ。更に、局内装置１０側を「上部側」と呼び、ＯＮＵ３０側を「下部側」と呼ぶ。
【００１９】
局内装置（ＯＬＴ、光回線終端局装置）１０は、ＰＯＮで使用される通信局舎側の回線終端装置である。一般に、数台のスイッチやルータを介して通信事業者のコアネットワークと接続される。局内装置１０の送信光（下り光５０）は、図１（ｂ）に示すように、揺らぎはあるが常に光り続けている定常光である。
【００２０】
光分岐器（光スプリッタ）２０は、１本の光ケーブル７０と複数本の光ケーブル７０を接続する分岐器である。光信号を合分岐するが、分岐数に応じて信号強度は弱まる。
【００２１】
ＯＮＵ（光回線終端装置）３０は、ＰＯＮで使用されるユーザ側の回線終端装置である。一般に、ユーザ宅内に設置され、ホームゲートウェイやユーザＰＣ端末と接続される。ＯＮＵ３０の送信光（上り光６０）は、図１（ｃ）に示すように、明滅を繰り返す間欠光である。
【００２２】
ＯＮＵ検知装置４０は、ＯＮＵ３０を検知する装置である。保守しようとする光ケーブル７０に取り付けられ、その下部にＯＮＵ３０が接続されているかどうかを判定する。
【００２３】
（ＯＮＵ検知装置）  
図２は、本発明の実施の形態におけるＯＮＵ検知装置４０の機能ブロック図である。この図に示すように、ＯＮＵ検知装置４０は、曲げ付与部４１と、受光部４２と、光強度測定部４３と、ＯＮＵ検知部４４と、判定部４５とを備える。
【００２４】
受光部４２は、光ケーブル７０を変形させ、変形部分から漏れる光を受光器４２Ａで受光し、電気信号を生成する。例えば、特許文献１に開示されているように、凸状の部分と凹状の部分で光ケーブル７０を挟むことで光ケーブル７０を変形させることができる。
【００２５】
光強度測定部４３は、受光部４２で生成された電気信号に基づいて受光部４２における光強度を測定する。具体的には、受光部４２に入射した光（上り光６０と下り光５０の合計）の強度を一定時間測定し、時間平均値に基づいて表示をする。この表示内容は特に限定されるものではない。例えば、数字など何らかの情報を表示し、光強度が適切であるかどうかを作業者が判定するようにしてもよい。あるいは、光強度の適切または不適切を光強度測定部４３が判定し、その判定結果を表示するようにしてもよい。
【００２６】
曲げ付与部４１は、光強度測定部４３で測定された光強度が適切な光強度となるまで受光部４２の近傍で光ケーブル７０に曲げを付与する。正しくＯＮＵ検知装置４０を設置した場合は受光部４２の上部側（局内装置１０側）で曲げを付与することになるが、誤ってＯＮＵ検知装置４０を設置した場合は受光部４２の下部側（ＯＮＵ３０側）で曲げを付与することになる。ファイバガイドと調整ネジの組み合わせなどにより、意図した量だけ曲げの強さを調整することが可能となっている（後述する）。
【００２７】
ＯＮＵ検知部４４は、受光部４２で生成された電気信号に含まれるＯＮＵ３０からの送信光の波形的特徴の強度を検知する。具体的には、受光部４２で受光した光強度の時間変動を一定時間観測し、ＯＮＵ３０からの上り光６０の特徴点（間欠光）を抽出する。特徴点の抽出に当たっては変動バラつきの偏差を測定してもよいし、電気信号に周波数フィルタを適用してもよい。
【００２８】
判定部４５は、光強度測定部４３で測定された光強度が適切な光強度である場合にＯＮＵ検知部４４で検知された波形的特徴の強度が一定以上であればＯＮＵ３０が接続されていると判定する。具体的には、ＯＮＵ検知部４４で抽出された特徴点（間欠光）の強度を観測し、一定以上であればＯＮＵ３０を検知したことを表示する。
【００２９】
以上のように、本発明の実施の形態では、Ｓ／Ｎ比の高い上り光６０を受光するために、受光器を上下２つ配置して上り光６０、下り光５０を分離するのではなく、受光部４２Ａの上部で光ケーブル７０に曲げを付与し、その曲げにより下り光５０を損失させる。このようにすれば、下り光５０が小さくなり、上り光６０のＳ／Ｎ比に悪影響を及ぼさないため、Ｓ／Ｎ比の高い上り光６０を受光することが可能となる。
【００３０】
（動作）
図３は、本発明の実施の形態におけるＯＮＵ検知装置４０を利用し、光ケーブル７０下部にＯＮＵ３０が接続されているかどうかを判定する動作を示すフローチャートである。
【００３１】
まず、光ケーブル７０にＯＮＵ検知装置４０を取り付け、曲げ付与部４１により光ケーブル７０に曲げを付与しない状態で光強度を検知（測定）する（Ｓ１）。
【００３２】
この状態で、光強度が適切である場合は、ＯＮＵ検知結果を確認する（Ｓ２→Ｓ３）。その結果、ＯＮＵ３０が検知されていれば、「ＯＮＵ有り」と判定し（Ｓ３→Ｓ５）、ＯＮＵ３０が検知されていなければ、「ＯＮＵ無し」と判定する（Ｓ３→Ｓ４）。
【００３３】
一方、光強度が適切でない場合は、曲げ付与部４１により光ケーブル７０に曲げを付与し、適切になるまで曲げの強さを調整する（Ｓ２→Ｓ６）。光強度が適切となれば、この状態でＯＮＵ検知結果を確認する（Ｓ７）。その結果、ＯＮＵ３０が検知されていれば、「ＯＮＵ有り」と判定し（Ｓ７→Ｓ８）、ＯＮＵ３０が検知されていなければ、光ケーブル７０の上下（左右）を入れ替えて、ＯＮＵ検知結果を確認する（Ｓ７→Ｓ９→Ｓ１０）。その結果、ＯＮＵ３０が検知されていれば、「ＯＮＵ有り」と判定し（Ｓ１０→Ｓ１１）、それでもＯＮＵ３０が検知されていなければ、「ＯＮＵ無し」と判定する（Ｓ１０→Ｓ１２）。
【００３４】
以上のように、本発明の実施の形態では、光ケーブル７０の上下を入れ替えながらＯＮＵ３０の検知作業を行うことができる。そのため、光ケーブル７０の上下の見分けがつかない場合でも、最終的にはＯＮＵ３０の有無を検知することが可能である。
【００３５】
なお、ここでは、光ケーブル７０の上下を入れ替えることとしているが、本発明はこれに限定されるものではない。すなわち、光ケーブル７０の上下を入れ替える代わりに、受光部４２の両側（上下）に曲げ付与部４１を備える実施形態もある。
【００３６】
また、こういった実施形態において、ワイヤーなどにより上下の曲げ付与部４１を連動させ、ワンタッチで上下の曲げを切り替える実施形態もある。
【００３７】
また、こういった実施形態において、測定方法の適切な曲げ付与部４１による曲げ付与後の測定をＯＮＵ検知装置４０が自動で実施する実施形態もある。例えば、上下の曲げ付与部４１それぞれの測定値について、予め設定された閾値を超える強度の信号が存在するかどうかを判定してもよい。この場合、予め設定された閾値を超える強度の信号が存在するときは、適切な曲げ付与部４１による曲げ付与後の測定と判定することが可能である。
【００３８】
また、モータなどで曲げ付与を自動で行なう機能をＯＮＵ検知装置４０が備えることで、検知方法の手順全てをＯＮＵ検知装置４０が自動で実施する実施形態もある。
【００３９】
（比較例）
図４は、従来技術における光強度を説明するための図であり、（ａ）は従来技術で検知できる例、（ｂ）は従来技術で検知できない例を示している。局内、検知場所、ＯＮＵ設置場所の３箇所において、下り光５０の光強度（局内装置１０の送信光強度）と、上り光６０の光強度（ＯＮＵ３０の送信光強度）がどのように変化するかを示している。
【００４０】
この図に示すように、局内装置１０からの下り光５０の光強度は線路損失により徐々に弱くなり、同様に、ＯＮＵ３０からの上り光６０の光強度も線路損失により徐々に弱くなる。ここで、図４（ａ）に示すように、局内〜検知場所間の線路損失が十分大きい場合、検知場所における下り光５０の光強度は上り光６０の光強度と比して十分に小さいため、ＯＮＵ３０を検知するのに適切な光強度となっている。一方、図４（ｂ）に示すように、局内〜検知場所間の線路損失が小さい場合、下り光５０の光強度が大きくなり、これがノイズ増となってＳ／Ｎ比が劣化し、正しくＯＮＵ３０の接続を検知できない。
【００４１】
（実施例）
図５は、本発明の実施の形態におけるＯＮＵ検知装置４０を利用した場合の光強度を説明するための図である。ここでは、従来技術で検知できない例において、ＯＮＵ検知装置４０を正しく設置した場合について説明する。
【００４２】
この図に示すように、局内〜検知場所間の線路損失が小さい場合でも、光強度測定部４３の測定結果に応じて曲げ付与部４１で曲げ損失を生じさせることにより、適切な光強度とすることができるため、ＯＮＵ３０を検知することが可能となる。また、光強度測定部４３の測定結果に応じて適切な光強度となるように曲げ付与することにより、上り光６０、下り光５０がそれぞれ対向装置に届く状態でＯＮＵ３０の検知作業を行うことが可能である。
【００４３】
図６は、本発明の実施の形態におけるＯＮＵ検知装置４０を利用した場合の光強度を説明するための図である。ここでは、従来技術で検知できない例において、ＯＮＵ検知装置４０を誤って設置した場合について説明する。
【００４４】
この図に示すように、光ケーブル７０の上下方向を誤ってＯＮＵ検知装置４０を設置した場合でも、光強度測定部４３の測定結果に応じて適切な光強度となるように曲げ付与することにより、上り光６０、下り光５０がそれぞれ対向装置に届く状態でＯＮＵ３０の検知作業を行うことが可能である。この場合は、Ｓ／Ｎ比の劣化によりＯＮＵ３０の検知はできないが、上下方向を入れ替えて再度検知作業を行うことにより、最終的にはＯＮＵ３０を検知可能である。
【００４５】
（適切な光強度の範囲）
図７は、曲げ付与部４１により調整される適切な光強度の範囲を説明するための図である。ここでは、局内装置１０の設置場所を地点Ａ、ＯＮＵ検知装置４０の設置場所を地点Ｃ、ＯＮＵ３０の設置場所を地点Ｂとする。地点Ａ〜Ｂ間の最大線路損失はｘｄＢ、地点Ｃ〜Ｂ間の最大線路損失はｙｄＢとする。下り光５０の送信強度は最大ａ１ｄＢｍ〜最小ａ２ｄＢｍとし、変動率はｗ％以下とする。下り光５０の送信強度が最小ａ２ｄＢｍであっても、ＯＮＵ３０まで信号が届くよう設計されていることを前提とする。上り光６０の送信強度は最大ｂ１ｄＢｍ〜最小ｂ２ｄＢｍとする。ＯＮＵ検知装置４０において必要なＳ／Ｎ比はＮ％以上とする。
【００４６】
まず、適切な光強度の下限を説明する。地点Ｃにおいて必要な光強度は、下り（ａ２−ｘ＋ｙ）ｄＢｍ、上り（ｂ２−ｙ）ｄＢｍである。これを満たすための地点Ｃでの光強度は、ＡＤＤ［（ａ２−ｘ＋ｙ），ｂ１−ｙ］、ＡＤＤ［（ａ１−ｘ＋ｙ），ｂ２−ｙ］である。ゆえに、下限値は、ＡＤＤ［（ａ２−ｘ＋ｙ），ｂ１−ｙ］とＡＤＤ［（ａ１−ｘ＋ｙ），ｂ２−ｙ］の大きい方となる。ＡＤＤ［ｐ，ｑ］は、次式に示す通りである。
【００４７】
【数１】
0005990310.tif 000002
次に、適切な光強度の上限を説明する。地点Ｃにおいて上り光強度は、次式のようになる。
【００４８】
【数２】
0005990310.tif 000003
Ｓ／Ｎ比がＮ％のときのノイズ強度は、次式のようになる。
【００４９】
【数３】
0005990310.tif 000004
変動率がｗ％のときの下り光強度は、次式のようになる。
【００５０】
【数４】
0005990310.tif 000005
Ｓ／Ｎ比がＮ％以上となるためには、光強度の上限値は、次式のようになる。
【００５１】
【数５】
0005990310.tif 000006
このように算出された適切な光強度の範囲は光強度測定部４３に設定される。これにより、光強度測定部４３は、測定した光強度の適切または不適切を自動で判定することができる。
【００５２】
（曲げ付与部）
図８は、本発明の実施の形態における曲げ付与部４１を示す図であり、（ａ）は弱い曲げを付与する場合を示し、（ｂ）は強い曲げを付与する場合を示している。
【００５３】
この図に示すように、ファイバガイド４１Ａ，４１Ｂに光ケーブル７０を挿通している。ファイバガイド４１Ａ，４１Ｂの間に設けられた調整ネジ４１Ｃにより、ファイバガイド４１Ｄの位置を調整することができる。調整ネジ４１Ｃを締めるほどファイバガイド４１Ｄの位置が下がり、光ケーブル７０に強い曲げを付与することができる。最も強い曲げを付与した場合でも光ケーブル７０は折れないが、通信は切断されるようになっている。もちろん、ファイバガイド４１Ａ，４１Ｂ，４１Ｄや調整ネジ４１Ｃの位置・大きさ・数などは適宜変更することが可能である。
【００５４】
以上説明したように、本発明の実施の形態におけるＯＮＵ検知装置４０は、ＯＮＵ３０を検知する装置であって、光ケーブル７０を変形させ、変形部分から漏れる光を受光し、電気信号を生成する受光部４２と、受光部４２で生成された電気信号に基づいて受光部４２における光強度を測定する光強度測定部４３と、光強度測定部４３で測定された光強度が適切な光強度となるまで受光部４２より局内装置１０側で光ケーブル７０に曲げを付与する曲げ付与部４１と、受光部４２で生成された電気信号に含まれるＯＮＵ３０からの送信光の波形的特徴の強度を検知するＯＮＵ検知部４４と、光強度測定部４３で測定された光強度が適切な光強度である場合にＯＮＵ検知部４４で検知された波形的特徴の強度が一定以上であればＯＮＵ３０が接続されていると判定する判定部４５とを備える。すなわち、受光部４２の近傍に設けた曲げ付与部４１を用いて光ケーブル７０の受光部４２より局内装置１０側を曲げるようにしているため、下り光５０を損失させることができる。これにより、受光部４２より局内装置１０側で下り光５０を損失させることができるため、受光部４２に到達する下り光５０の光強度が弱まり、Ｓ／Ｎ比劣化による検知失敗や誤検知が生じない。
【００５５】
ここで、適切な光強度の下限として、下部線路損失が最大の場合でも、所定の最小光強度の下り光５０がＯＮＵ３０に到達する値が設定される。これにより、上り光６０、下り光５０がそれぞれ対向装置に届く状態でＯＮＵ３０の検知作業を行うことが可能である。
【００５６】
また、適切な光強度の下限として、光ケーブル７０の上下方向を誤ってＯＮＵ検知装置４０を設置した場合でも、所定の最小光強度の下り光５０がＯＮＵ３０に到達する値が設定される。これにより、光ケーブル７０の上下方向を誤ってＯＮＵ検知装置４０を設置した場合でも、上り光６０、下り光５０がそれぞれ対向装置に届く状態でＯＮＵ３０の検知作業を行うことが可能である。
【００５７】
また、適切な光強度の上限として、受光部４２において所定のＳ／Ｎ比の上り光６０が受光される値が設定される。これにより、Ｓ／Ｎ比の高い上り光６０を受光することができるため、精度よくＯＮＵ３０を検知することが可能である。
【００５８】
また、本発明の実施の形態におけるＯＮＵ検知方法は、ＯＮＵ検知装置４０がＯＮＵ３０を検知する方法であって、光ケーブル７０を変形させ、変形部分から漏れる光を受光部４２で受光し、電気信号を生成する受光ステップと、受光ステップで生成された電気信号に基づいて受光部４２における光強度を測定する光強度測定ステップと、光強度測定ステップで測定された光強度が適切な光強度となるまで受光部４２より局内装置１０側で光ケーブル７０に曲げを付与する曲げ付与ステップと、受光部４２で生成された電気信号に含まれるＯＮＵ３０からの送信光の波形的特徴の強度を検知するＯＮＵ検知ステップと、光強度測定ステップで測定された光強度が適切な光強度である場合にＯＮＵ検知ステップで検知された波形的特徴の強度が一定以上であればＯＮＵ３０が接続されていると判定する判定ステップとを含む。これにより、受光部４２より局内装置１０側で下り光５０を損失させることができるため、受光部４２に到達する下り光５０の光強度が弱まり、Ｓ／Ｎ比劣化による検知失敗や誤検知が生じない。
【００５９】
なお、本発明はここでは記載していない様々な実施の形態などを含むことは勿論である。したがって、本発明の技術的範囲は上記の説明から妥当な特許請求の範囲に係る発明特定事項によってのみ定められるものである。
【符号の説明】
【００６０】
１０…局内装置
２０…光分岐器
３０…ＯＮＵ
４０…ＯＮＵ検知装置
４１…曲げ付与部
４２…受光部
４２Ａ…受光器
４３…光強度測定部
４４…ＯＮＵ検知部
４５…判定部
５０…下り光
６０…上り光
７０…光ケーブル
【要約】      （修正有）【課題】Ｓ／Ｎ比劣化による検知失敗や誤検知が生じないＯＮＵ検知装置および検知方法を提供する。【解決手段】ＯＮＵ（Ｏｐｔｉｃａｌ  Ｎｅｔｗｏｒｋ  Ｕｎｉｔ）検知装置４０は、ＯＮＵ３０を検知する装置であって、光ケーブル７０を変形させ、変形部分から漏れる光を受光し、電気信号を生成する受光部４２と、受光部で生成された電気信号に基づいて受光部における光強度を測定する光強度測定部４３と、光強度測定部で測定された光強度が適切な光強度となるまで受光部より局内装置１０側で光ケーブルに曲げを付与する曲げ付与部４１と、受光部で生成された電気信号に含まれるＯＮＵからの送信光の波形的特徴の強度を検知するＯＮＵ検知部４４と、光強度測定部で測定された光強度が適切な光強度である場合にＯＮＵ検知部で検知された波形的特徴の強度が一定以上であればＯＮＵが接続されていると判定する判定部４５とを備える。【選択図】図２【図１】
0005990310.tif 000007
【図２】
0005990310.tif 000008
【図３】
0005990310.tif 000009
【図４】
0005990310.tif 000010
【図５】
0005990310.tif 000011
【図６】
0005990310.tif 000012
【図７】
0005990310.tif 000013
【図８】
0005990310.tif 000014
【図９】
0005990310.tif 000015